(57)【要約】【課題】着用者の動作を必要とせずに補助者による着脱が容易なパジャマ上衣を提供すること。【解決手段】着用者の身体の腹部の左前方から背部を経て右前方に及ぶ後身頃部１と、後身頃部１の上方に接合され腹部側において後身頃部１から袖口に至る袖切込７を有する袖部３と、着用者の身体の腹部の左前方から腹部を経て腹部の右前方に及ぶ前身頃部２と、前身頃部２と後身頃部１とを腹部の左前方及び右前方のそれぞれで着脱する前着脱具４と、袖切込７において袖部の上方と下方とを着脱する袖着脱具６とを備えるパジャマ上衣を提供する。前着脱具４と袖着脱具６とがいずれも着用者の身体の前方（腹部側）にある。前着脱具４と袖着脱具６を外すことにより、着用者が仰臥している状態で、補助者による着脱が容易に可能である。【選択図】図１
2017089035.tif 000002
【特許請求の範囲】
【請求項１】
着用者の身体の腹部の左前方から背部を経て右前方に及ぶ後身頃部と、
前記後身頃部の上方に接合され、腹部側において前記後身頃部から袖口に至る袖切込を有する左右それぞれの袖部と、
着用者の身体の腹部の左前方から腹部を経て腹部の右前方に及ぶ前身頃部と、
前記前身頃部と前記後身頃部とを前記腹部の左前方及び右前方のそれぞれで着脱する、左右それぞれの前着脱具と、
前記袖切込において前記袖部の上方と下方とを着脱する袖着脱具と、
を備えることを特徴とする、パジャマ上衣。
【請求項２】
前記袖着脱具は、前面視において袖幅の中央３分の１の範囲内に存することを特徴とする、請求項１に記載のパジャマ上衣。
【請求項３】
前記袖部は、前方の前記袖切込の上方に袖突起を有し、
前記袖突起と前記前身頃部とを着脱する上着脱具とを備えることを特徴とする、請求項１又は２に記載のパジャマ上衣。  
【請求項４】
前記袖脱着具は、略直線上に配された複数のボタンであり、隣接するボタンの間隔が３０ｍｍ以上であることを特徴とする、請求項１〜３のいずれか１項に記載のパジャマ上衣。
【請求項５】
前記後身頃部が、縫合部のない全体として１枚のシートであることを特徴とする、請求項１〜４のいずれか１項に記載のパジャマ上衣。
【発明の詳細な説明】
【技術分野】
【０００１】
本発明は、介護用、乳幼児用、その他の他人が着脱するためのパジャマ上衣に関する。
【背景技術】
【０００２】
被介護者や乳幼児（以下、被介護者、乳幼児、その他パジャマを着用する者を「着用者」と言う。）のパジャマの着脱は、他人である介護者や保護者（以下、介護者、保護者、その他パジャマの着脱を行う他人を「補助者」と言う。）が行う。その際、着用者が着脱のために体を動かすことをしない、あるいはしようと考えてもできないことがある。
【０００３】
この点につき、特許文献１には、前身頃と後身頃との間、及び前身頃中央に面ファスナー又はボタンを設けた介護用パジャマが開示されている。しかし、前身頃と後身頃との間は、着用者の体勢によっては体の下（体とベッドとの間）に配されてしまうことがあり、必ずしも容易に着脱ができるものではない。
【０００４】
また、特許文献２には、前身頃の両側の前面側（体の腹部側）に面ファスナーを設け、袖部の袖口手前までファスナーを設けた介護ウエアが開示されている。しかし、袖口までの袖部全体を開閉できるものではなく、袖部に腕を通す（又は袖部から腕を抜く）ためには、着用者の動作が必要となる。
【先行技術文献】
【特許文献】
【０００５】
【特許文献１】特開２０１２−０５７２８７号公報
【特許文献２】登録実用新案第３０６６２５２号公報
【発明の概要】
【発明が解決しようとする課題】
【０００６】
本発明は、着用者の動作を必要とせずに補助者による着脱が容易なパジャマ上衣を提供することを課題とする。
【課題を解決するための手段】
【０００７】
本発明のパジャマ上衣は、
着用者の身体の腹部の左前方から背部を経て右前方に及ぶ後身頃部と、
前記後身頃部の上方に接合され、腹部側において前記後身頃部から袖口に至る袖切込を有する左右それぞれの袖部と、
着用者の身体の腹部の左前方から腹部を経て腹部の右前方に及ぶ前身頃部と、
前記前身頃部と前記後身頃部とを前記腹部の左前方及び右前方のそれぞれで着脱する、左右それぞれの前着脱具と、
前記袖切込において前記袖部の上方と下方とを着脱する袖着脱具と、
を備えることを特徴とする。
【０００８】
この特徴によれば、前着脱具と袖着脱具とがいずれも着用者の身体の前方（腹部側）にある。前着脱具と袖着脱具を外すことにより、着用者が仰臥している状態で、補助者による着脱が容易に可能である。
【０００９】
本発明のパジャマ上衣は、
前記袖着脱具は、前面視において袖幅の中央３分の１の範囲内に存することを特徴とする。
【００１０】
この特徴によれば、着用者の腕の動きによって袖着脱具の着脱が困難になることがない。ここで「前面視」とは、後身頃部と袖部との間を折らずに伸ばした状態（すなわち袖部に貫入された着用者の腕が肩に対してほぼ平行に伸びた状態）における前面から視認する状態を言う。
【００１１】
本発明のパジャマ上衣は、
前記袖部は、前方の前記袖切込の上方に袖突起を有し、
前記袖突起と前記前身頃部とを着脱する上着脱具とを備えることを特徴とする。
【００１２】
この特徴によれば、袖部を前身頃部に固定することができ、着衣状態が安定する。
【００１３】
本発明のパジャマ上衣は、
前記袖脱着具は、略直線上に配された複数のボタンであり、隣接するボタンの間隔が３０ｍｍ以上であることを特徴とする。
【００１４】
この特徴によれば、袖脱着具の間から、物品を腕に到達させることができる、物品としては、点滴用のチューブ、体温計等が考えられる。
【００１５】
本発明のパジャマ上衣は、
前記後身頃部が、縫合部のない全体として１枚のシートであることを特徴とする。
【００１６】
この特徴によれば、着用者の体の側面に縫い目がないものとなる。寝返り等の際に抵抗がなく、着用感が良いものとなる。
【発明の効果】
【００１７】
本発明によれば、着用者の動作を必要とせずに補助者による着脱が容易なパジャマ上衣が提供される。
【図面の簡単な説明】
【００１８】
【図１】図１は、パジャマ上衣を示す図である。（実施例１）
【図２】図２は、パジャマ上衣の構成を示す分解展開図である。（実施例１）
【図３】図３は、点滴の使用状態を示す図である。（実施例１）
【図４】図４は、パジャマ上衣を示す図である。（実施例２）
【図５】図５は、パジャマ上衣の構成を示す分解展開図である。（実施例２）
【発明を実施するための形態】
【００１９】
本発明の実施例を説明する。
【実施例１】
【００２０】
図１は、パジャマ上衣を示す図である。図１（Ａ）に示すとおり、パジャマ上衣は、シート状の後身頃部１、前身頃部２及び袖部３からなる。後身頃部１、前身頃部２及び袖部３は、布製とするが、シート状であれば布製でなくビニル製等であってもよい。
【００２１】
後身頃部１と袖部３とは、縫い目８（右側が８Ｒ、左側が８Ｌ）及び縫い目９（右側が９Ｒ、左側が９Ｌ）によって縫合されている。前身頃部２は、後身頃部１及び袖部３とは縫合されておらず、分離され得る。
【００２２】
なお、右側（Ｒ）及び左側（Ｌ）は、着用者の身体を基準にする。図１（Ａ）は、着用者の身体の前方から見た図であり、図面左側が着用者の身体の右側（Ｒ）、図面右側が着用者の身体の左側（Ｌ）である。
【００２３】
前身頃部２は、左右それぞれ５つのボタンによる前着脱具４（右側が４Ｒ、左側が４Ｌ）によって、後身頃部１に着脱される。ただし、ボタンの数はいくつでもよく、また、ボタンでなくオープンファスナー等であってもよい。
【００２４】
後身頃部１が、着用者の身体の前方にまで伸びており、前着脱具４は着用者の身体の前方にある。
【００２５】
袖部３は、着用者の身体の前方に、前身頃部と重畳される袖突起３１（右側が３１Ｒ、左側が３１Ｌ）を有し、袖突起３１の設けられた左右それぞれ３つのボタンによる上着脱具５（右側が５Ｒ、左側が５Ｌ）によって、前身頃部２に着脱される。ただし、ボタンの数はいくつでもよく、また、ボタンでなくオープンファスナー等であってもよい。
【００２６】
なお、図中の細破線は袖部３のうち袖突起３１とそれ以外の部分の境界のみを表し、実際に布の境界があるものではない。袖部３は、袖突起３１以外の部分が筒状であり、前方に袖突起が付されている。
【００２７】
袖部３は、後身頃部２との接点から袖口に至る、すなわち袖部の長手の全体にわたる、袖切込７（右側が７Ｒ、左側が７Ｌ）を有する。袖切込７において上下が分離される。袖切込７は、左右それぞれ３つのボタンによる袖着脱具６によって着脱される。すなわち、着用時には袖着脱具６によって袖切込７の上下を固定し、脱用時には袖着脱具６を外して袖切込７の上下を分離する。
【００２８】
袖着脱具６について、ボタンの数はいくつでもよい。また、オープンファスナー等であってもよいが、後述する点滴用のチューブ等を腕に到達させるためにはボタンであることが好ましい。
【００２９】
袖切込７の位置は、着用者の身体の前方であることが好ましい。図において前方であっても着用者の腕の位置によっては、前方でなくなることがある、例えば、腕を図面下方に伸ばすと、図における袖部の下側３分の１程度が身体の側部よりも下方に移動する。腕の位置によらずに着用者の身体の前方に存在するため、袖切込７が前面視において袖幅の中央３分の１の範囲内にあることが好ましい。
【００３０】
図１（Ｂ）は、パジャマ上衣を着用者の身体の後方から見た図である。後身頃部１と袖部３のみが後方に表れる。
【００３１】
図２は、パジャマ上衣の構成を示す分解展開図である。図２（Ａ）及び（Ｃ）に袖部３を、（Ｂ）に後身頃部１を、（Ｄ）に前身頃部２を示す。展開図において、後身頃部１、前身頃部２及び袖部３はいずれも平面形状であり、１枚の布で作成される。
【００３２】
図において、符号４Ｒｘ、４Ｌｘ、５Ｒｘ、５Ｌｘ、６Ｒｘ、６Ｌｘは、符号４Ｒ、４Ｌ、５Ｒ、５Ｌ、６Ｒ、６Ｌで表されるボタン頭部（例えば雌スナップ）に対応するボタン受部（例えば雄スナップ）を表す。
【００３３】
後身頃部１と袖部３Ｒとを縫い目８Ｒ及び縫い目９Ｒにおいて縫合し、後身頃部１と袖部３Ｌとを縫い目８Ｌ及び縫い目９Ｌにおいて縫合し、図の二点鎖線の箇所を折り曲げることで、パジャマ上衣が作成される。
【００３４】
ここで、後身頃部１は、１枚の布である。すなわち、着用者の体の側面に縫い目がない。寝返り等の際に、縫い目の凹凸によって抵抗を受けることがなく、着用感が良いものとなる。
【００３５】
図３は、点滴の使用状態を示す図である。ボタンである袖着脱具６Ｌの間は、袖切込７Ｌとなる。ここから、点滴用のチューブ２０を挿入することができる。点滴用のチューブ等を挿入するため、隣接するボタン（袖着脱具）６Ｌの間隔は３０ｍｍ以上であることが好ましい。
【実施例２】
【００３６】
パジャマ上衣の別の実施例を示す。後身頃部１、前身頃部２、袖部３、前着脱具４、上着脱具５及び袖着脱具６による構成は実施例１と同様である。同一機能の箇所には同一の符号を付し、詳細な説明を省略する。
【００３７】
図４は、パジャマ上衣を示す図である。図４（Ａ）に示すとおり、パジャマ上衣は、シート状の後身頃部１、前身頃部２及び袖部３からなり、実施例１と同様に前着脱具４、上着脱具５及び袖着脱具６が設けられている。
【００３８】
袖突起３１が、首に向けて大きく張り出している点が、本実施例の特徴である。これにより、上着脱具５と袖着脱具６とが直線上に設けられている。
【００３９】
図４（Ｂ）は、パジャマ上衣を着用者の身体の後方から見た図である。
【００４０】
図５は、パジャマ上衣の構成を示す分解展開図である。図５（Ａ）及び（Ｃ）に側部を、（Ｂ）に中央部を、（Ｄ）に前身頃部２を示す。展開図において、側部、中央部及び前身頃部２はいずれも平面形状であり、１枚の布で作成される。
【００４１】
本実施例では、後身頃部１を中央後身頃部１Ａ、右後身頃部１Ｒ及び左後身頃部１Ｌに分解し、右側の袖部３Ｒを中央右袖部３ＲＡ及び右端右袖部３ＲＢに分解し、左側の袖部３Ｌを中央左袖部３ＬＡ及び左端左袖部３ＲＢに分解した。中央後身頃部１Ａ、中央右袖部３ＲＡ及び中央左袖部３ＬＡを一体化して中央部とした。右後身頃部１Ｒ及び右端右袖部３ＲＢを一体化して右側の側部とし、左後身頃部１Ｌ及び左端左袖部３ＬＢを一体化して左側の側部とした。
【００４２】
中央部と右側の側部とを縫い目１１Ｒ及び縫い目１２Ｒにおいて縫合し、中央部と左側の側部とを縫い目１１Ｌ及び縫い目１２Ｌにおいて縫合し、図の二点鎖線の箇所を折り曲げることで、パジャマ上衣が作成される。
【００４３】
本実施例においては、着用者の体の側面に縫い目１１Ｒ及び１１Ｌがあるが、後身頃部１と袖部３との境界に縫い目がない。（図において後身頃部１と袖部３との境界を１０Ｒ及び１０Ｌで示すが、縫い目のない一枚布である。）
【００４４】
以上詳細に説明したように、本発明のパジャマ上衣によれば、前着脱具４、上着脱具５及び袖着脱具６が全て着用者の体の前方に配され、補助者による着脱が容易となる。
【産業上の利用可能性】
【００４５】
着用者の動作を必要とせずに補助者による着脱が容易なパジャマ上衣である。多くの個人、介護施設等による利用が考えられる。
【符号の説明】
【００４６】
１      後身頃部
２      前身頃部
３      袖部
４     前着脱具
５      上着脱具
６      袖着脱具
７      袖切込
８      縫い目
９      縫い目
１０      境界線
１１      縫い目
１２      縫い目
２０      点滴用のチューブ
【図１】
2017089035.tif 000003
【図２】
2017089035.tif 000004
【図３】
2017089035.tif 000005
【図４】
2017089035.tif 000006
【図５】
2017089035.tif 000007